(57)【特許請求の範囲】
【請求項１】
着用者の肌当接側に位置する内面と、前記着用者の非肌当接側に位置する外面と、前胴周り域と、後胴周り域と、前記前後胴周り域の間に位置する股下域とを有し、互いに対向して縦方向へ延びる両側縁と、互いに対向して横方向へ延びる前後端縁とを備えたシート状部材で構成され、前記シート状部材が、前記内面の側に位置する透液性表面シートと、前記外面の側に位置する不透液性裏面シートとから形成されていて、前記表裏面シートの間に介在する吸液性コアを含む着用物品において、
前記表裏面シートが前記コアの周縁から周り方向外方へ延びる部分で互いに固着されており、
前記前端縁と前記後端縁との少なくとも一方には、前記コアの両側縁の横方向内側において、前記股下域へ向かって前記縦方向へ延びる少なくとも１つのタック部が形成されており、
前記タック部は、前記シート状部材が前記前後端縁から前記縦方向へ延びる仮想折曲案内部で前記内面を内側にして折曲されて部分的に重なり合い、かつ、互いに重なり合う前記シート状部材が前記前後端縁近傍において固着されることにより形成されていることを特徴とする前記物品。
【請求項２】
前記タック部が前記物品の両側縁のいずれか一方の側であって前記横方向へ倒伏され、互いに重なり合う前記タック部の外面と前記タック部に隣接する前記物品の外面とが前記前後端縁近傍において固着されている請求項１記載の物品。
【発明の詳細な説明】
【０００１】
【発明の属する技術分野】
本発明は、おむつカバー、開放型やパンツ型の使い捨ておむつ等の排泄物の処理に使用する着用物品に関する。
【０００２】
【従来の技術】
排泄物の処理に使用する着用物品としては、透液性表面シートと、不透液性裏面シートと、それらシートの間に介在する吸液性コアとから構成され、縦方向に前胴周り域と、後胴周り域と、それら前後胴周り域の間に位置する股下域とを有する開放型やパンツ型の使い捨ておむつが知られている。開放型のおむつは、おむつの後胴周り域に取り付けられたテープファスナをおむつの前胴周り域に取り付けられたターゲットテープに止着することで、着用者の胴周りを締め付ける。パンツ型のおむつは、一対の脚周り開口部に両脚を通し、おむつを着用者の胴周りにまで持ち上げて、胴周りの縁部に取り付けられた弾性部材で着用者の胴周りを締め付ける。開放型とパンツ型とのおむつそれぞれは、着用の仕方は異なるが、着用者の胴周りを締め付けることで、排泄物が前後胴周り域の端縁部から漏れることを防止している。それらおむつとしては、特開平１０−２４０６０号公報、特開平１０−４３２３４号公報、特開平１１−１５５９０４号公報等に開示されている。
【０００３】
【発明が解決しようとする課題】
上記おむつは、前後胴周り域の横寸法が前後胴周り域の端縁から股下域にかけて略同一であり、着用者の下腹部に対応する前胴周り域の部位と着用者の臀部に対応する後胴周り域の部位とが着用者の非肌当接側へ凹む立体的なものではなく、相対的に平面的なものである。着用者の体型は、下腹部から臀部に至る周り方向の寸法よりも胴周りのそれが短く、臀部が背部よりも後方へ出っ張っていることが一般的である。ゆえに、おむつが前後胴周り域において着用者の下腹部と臀部とに適合したとしても、着用者の胴周りでは、おむつに部分的な余裕が生じ、胴周りにおいて、着用者の肌とおむつとの間に隙間ができ、排泄物が前後胴周りの端縁部から漏れてしまうことがある。そのような漏れを防ぐために、着用者の胴周りを強く締め付ければよいが、着用者の胴周りを締め付けすぎると着用感が損なわれる。
【０００４】
本発明の課題は、排泄物が前後胴周り域における端縁部から漏れることがなく、着用感を損なうことがない着用物品を提供することにある。
【０００５】
【課題を解決するための手段】
前述した課題を解決するための本発明は、着用者の肌当接側に位置する内面と、前記着用者の非肌当接側に位置する外面と、前胴周り域と、後胴周り域と、前記前後胴周り域の間に位置する股下域とを有し、互いに対向して縦方向へ延びる両側縁と、互いに対向して横方向へ延びる前後端縁とを備えたシート状部材で構成され、前記シート状部材が、前記内面の側に位置する透液性表面シートと、前記外面の側に位置する不透液性裏面シートとから形成されていて、前記表裏面シートの間に介在する吸液性コアを含む着用物品を改良することにある。
【０００６】
改良にかかる本発明の特徴は、前記表裏面シートが前記コアの周縁から周り方向外方へ延びる部分で互いに固着されており、前記前端縁と前記後端縁との少なくとも一方には、前記コアの両側縁の横方向内側において、前記股下域へ向かって前記縦方向へ延びる少なくとも１つのタック部が形成されており、前記タック部は、前記シート状部材が前記前後端縁から前記縦方向へ延びる仮想折曲案内部で前記内面を内側にして折曲されて部分的に重なり合い、かつ、互いに重なり合う前記シート状部材が前記前後端縁近傍において固着されることにより形成されていることにある。
【０００７】
本発明の実施の態様の一例としては、前記タック部が前記物品の両側縁のいずれか一方の側であって前記横方向へ倒伏され、互いに重なり合う前記タック部の外面と前記タック部に隣接する前記物品の外面とが前記後端縁近傍において固着されている。
【０００８】
【０００９】
【発明の実施の形態】
添付の図面を参照して、本発明に係る着用物品の詳細を開放型の使い捨ておむつを例として説明すると、以下のとおりである。
【００１０】
図１，２は、前胴周り域２０の側から示す使い捨ておむつ１の部分破断斜視図と、表面シート２の側から示すおむつ１の平面図とであり、図３は、図１のＡ−Ａ線断面図である。おむつ１は、透液性表面シート２と、不透液性裏面シート３と、表面シート２と裏面シート３との間に介在し、全体がティシュペーパや透液性不織布等の透水性シート１３によって被覆、接合された吸液性コア４とから構成されている。透水性シート１３は、表面シート２と裏面シート３との少なくとも一方の内面に固着されている。
【００１１】
おむつ１は、縦方向に前胴周り域２０と、後胴周り域２２と、前後胴周り域２０，２２の間に位置する股下域２１とを有し、互いに対向して縦方向へ延び、股下域２１においておむつ１の横方向内方へ向かって弧を画く両側縁１ａと、互いに対向して横方向へ延びる前後端縁１ｂ，１ｃとを有する砂時計型のものである。おむつ１には、互いに対向離間して縦方向へ延びる一対の液抵抗性防漏シート７が表面シート２の外面の側に取り付けられている。
【００１２】
図１から明らかなように、おむつ１の後胴周り域２２における防漏シート７の間には、コア４の両側縁の横方向内側において、後胴周り域２２に位置する後端縁１ｃから股下域２１へ向かって縦方向へ延びる２つのタック部５が形成されている。タック部５では、表裏面シート２，３が後胴周り域２２の後端縁１ｃから縦方向へ延びる仮想折曲案内部６で表面シート２を内側にして折曲されて部分的に重なり合い、互いに重なり合う表面シート２の内面が後端縁１ｃ近傍において接着剤１４を介して互いに固着されている。タック部５は、後端縁１ｃ近傍で横方向へ延びる固着部位５ａと固着部位５ａからコア４の端縁近傍に至る非固着部位５ｂとを有する。
【００１３】
おむつ１には、両側縁１ａに沿って縦方向へ延びる脚周り用弾性伸縮性部材８が裏面シート３と防漏シート７との間に介在し、それらシート３，７の少なくとも一方の内面に接着剤（図示せず）を介して伸長下に取り付けられている。おむつ１の前後胴周り域２０，２２には、前後端縁１ｂ，１ｃに沿って横方向へ延びる胴周り用弾性伸縮性部材９が表面シート２と裏面シート３との間に介在し、それらシート２，３の少なくとも一方の内面に接着剤１５を介して伸長下に取り付けられている。
【００１４】
後胴周り域２２におけるおむつ１の両側縁１ａには、横方向内方へ延びる一対のテープファスナ１０の基端部が固着され、前胴周り域２０における裏面シート３の外面には、テープファスナ１０の止着域となる矩形のターゲットテープ１１が固着されている。テープファスナ１０の自由端部に塗布された粘着剤（図示せず）を介してテープファスナ１０それぞれをターゲットテープ１１に止着すると、胴周り開口部と左右一対の脚周り開口部（図示せず）とが形成される。
【００１５】
防漏シート７は、おむつ１の両側縁１ａ近傍において表面シート２の外面に固着された固定側部７ａと、固定側部７ａに並行しておむつ１の前後端縁１ｂ，１ｃの間に延びる自由側部７ｂと、おむつ１の前後端縁１ｂ，１ｃ近傍において横方向外方へ折曲され、表面シート２の外面に接着剤１６を介して固着された固定端部７ｃとを有する。自由側部７ｂには、縦方向へ延びる弾性伸縮性部材１２が自由側部７ｂに被覆された状態で伸長下に取り付けられている。
【００１６】
図１では、おむつ１がその内面を内側にして縦方向へ湾曲し、防漏シート７の自由側部７ｂに取り付けられた弾性部材１２が収縮して自由側部７ｂが表面シート２から上方へ起立している。おむつ１では、弾性部材８，９，１２それぞれが収縮しておむつ１の両側縁１ａ近傍および前後端縁１ｂ，１ｃ近傍と防漏シート７の自由側部７ｂとにギャザーが形成されている。
【００１７】
おむつ１は、図３に示すように、表面シート２の両側縁からさらに横方向外方へ裏面シート３の部分と防漏シート７の固定端部７ｃとが延び、互いに重なり合う裏面シート３の部分と防漏シート７の固定端部７ｃとが接着剤１７を介して固着されている。
【００１８】
おむつ１には、タック部５が形成されているので、後胴周り域２２における後端縁１ｃの横方向の寸法が、後胴周り域２２の後端縁１ｃ近傍を除く部位のそれと比較して短くなるとともに、おむつ１を着用したときに、タック部５における非固着部位５ｂが横方向へ拡開され、後胴周り域２２がタック部５の非固着部位５ｂにおいて着用者の非肌当接側へ凹む立体的な形状を呈する。
【００１９】
おむつ１の後胴周り域２２における後端縁１ｃ近傍を除く部位では、横方向の寸法が後胴周り域２２の後端縁１ｃ近傍よりも長く、かつ、着用者の非肌当接側へ凹む立体的な形状を有するので、着用者の臀部を背部に比較して広く覆うことができ、臀部の出っ張った形状に適合することができる。おむつ１の後胴周り域２２における後端縁１ｃ近傍では、横方向の寸法が後胴周り域２２の後端縁１ｃ近傍を除く部位よりも短いので、後胴周り域２２の後端縁１ｃ近傍が着用者の胴周りを囲繞したときに、おむつ１が着用者の背部においてだぶ付くことはなく、おむつ１の後胴周り域２２における後端縁１ｃ近傍が着用者の背部に適合することができる。
【００２０】
おむつ１には、１つのタック部５、または、２つを超過するタック部５が形成されていてもよく、後胴周り域２２の他に、前胴周り域２０にもタック部５を形成することができる。タック部５における固着域５ａの横方向の寸法は、子供用や大人用等のおむつ１のサイズに合わせて最適な寸法を決定することができる。
【００２１】
図４，５は、後胴周り域２２の側から示す図１とは異なる態様のおむつ１の斜視図と、図４のＢ−Ｂ線断面図とである。おむつ１は、表面シート２と裏面シート３との間にコア４が介在し、前後胴周り域２０，２２と、股下域２１と、両側縁１ａと、前後端縁１ｂ，１ｃとを有し、おむつ１の後胴周り域２２における防漏シート７の間に縦方向へ延びる２本のタック部５が形成されている点において図１のそれと同一である。
【００２２】
タック部５それぞれは、おむつ１の横方向内方へ向かって倒伏され、タック部５における裏面シート３の外面とタック部５に隣接する裏面シート３の外面とが互いに重なり合い、裏面シート３の重なり合う部分が、後胴周り域２２の後端縁１ｃ近傍において接着剤１８を介して固着されている。タック部５がおむつ１の横方向内方へ向かって倒れているので、固着部位５ａと仮想折曲案内部６上に延びる折山とがおむつ１の外側に突出することがなく、突出する固着部位５ａと折山とが着用者の肌に当たることによる不快感がない。
【００２３】
表面シート２には、不織布や開孔プラスチックフィルム等の透液性のシート、好ましくは透液性であって親水性のシートが使用される。裏面シート３と防漏シート７とには、疎水性不織布、不透液性のプラスチックフィルムまたは疎水性不織布とプラスチックフィルムとのラミネートシート、好ましくは通気不透液性のシートが使用される。
【００２４】
不織布としては、スパンレース、ニードルパンチ、メルトブローン、サーマルボンド、スパンポンド、ケミカルボンド等の不織布を使用することができる。不織布の構成繊維としては、ポリオレフィン系、ポリエステル系、ポリアミド系、の各繊維、ポリエチレン／ポリプロピレンまたはポリエステルの複合繊維等を使用することができる。
【００２５】
コア４は、フラッフパルプと高吸収性ポリマー粒子との混合物であり、所要の厚みに圧縮されている。コア４の接合、弾性部材８，９，１２の取り付け、シート２，３，７どうしの固着には、ホットメルト接着剤等の接着剤や粘着剤の他に、熱溶着の技術を利用することができる。
【００２６】
この発明は、開放型のおむつ１の他に、おむつの前後胴周り域２０，２２における両側縁１ａ近傍が合掌状に重なり合い、容易に剥離することがないように一体化されて胴周り開口部と、左右一対の脚周り開口部とが形成されたパンツ型のおむつでも実施することができる。また、内面の側に不織布が位置し、外面の側にプラスチックフィルムが位置してそれら不織布とプラスチックフィルムとが一体化されたおむつカバーでも実施することができる。
【００２７】
【発明の効果】
本発明に係る着用物品によれば、タック部を前胴周り域と後胴周り域との少なくとも一方に形成することで、着用物品の前後胴周り域における前後端縁近傍を除く部位が、着用者の非肌当接側へ凹む立体的な形状を呈し、前後端縁近傍を除く部位が、下腹部や臀部の出っ張った形状に適合することができる。前後胴周り域における前後端縁近傍の横方向の寸法が前後端縁近傍を除く部位よりも短くなるので、前後端縁近傍が着用者の胴周りにおいてだぶ付くことはなく、着用物品の前後端縁近傍が着用者の胴周りに適合することができる。着用物品が着用者の体型に適合することで、排泄物が前後端縁から漏れてしまうことを防ぐことができる。排泄物の前後端縁からの漏れを防ぐため、着用時に着用者の胴周りを強く締め付ける必要はないので、着用時の不快感がない。
【００２８】
タック部それぞれが着用物品の横方向へ向かって倒伏され、互いに重なり合うタック部の外面とタック部に隣接する着用物品の外面とが前後端縁近傍において固着されたものは、タック部が着用物品の外側に突出することがなく、突出するタック部が着用者の腕や手に当たることによる不快感がない。
【図面の簡単な説明】
【図１】  前胴周り域の側から示す使い捨ておむつの部分破断斜視図。
【図２】  表面シート２の側から示すおむつ１の平面図。
【図３】  図１のＡ−Ａ線断面図。
【図４】  後胴周り域の側から示す図１とは異なる態様のおむつの斜視図。
【図５】  図４のＢ−Ｂ線断面図。
【符号の説明】
１          使い捨ておむつ（着用物品）
１ａ        両側縁
１ｂ        前端縁
１ｃ        後端縁
２          透液性表面シート
３          不透液性裏面シート
４          吸液性コア
５          タック部
６          仮想折曲案内部
２０          前胴周り域
２１          股下域
２２          後胴周り域
【図１】
0003672468.tif 000002
【図２】
0003672468.tif 000003
【図３】
0003672468.tif 000004
【図４】
0003672468.tif 000005
【図５】
0003672468.tif 000006